(57)【特許請求の範囲】
【請求項１】
第１及び第２の無指向性マイクロホンからの第１及び第２の音声信号をステレオ化演算処理回路に夫々供給し、前記ステレオ化演算処理回路の出力側に得られるステレオ信号を記録するようにした音声信号記録装置において、
前記第１又は第２の音声信号のレベルを制御するレベル制御手段を設けると共に、前記第１及び第２の音声信号のレベル差が小さい周波数成分を検出できるように、前記マイクロホン間の音の陰によるレベル差の影響を受けにくい低周波数成分の絶対値化後のレベルを検出し、かつ前記レベル検出において前記第１、第２の音声信号間の遅延時間が影響を与えない程度に長いホールドタイムを有するピーク検波回路よりなるレベル検出手段を設け、
前記レベル検出手段により得られる前記低周波数成分の絶対値化後ピーク検波した第１及び第２の音声信号のレベル差成分を、前記第１及び第２の音声信号のサンプリング周期に同期した所定の周期で検出して得られる符号信号からの制御レベル信号を生成して、前記レベル差成分に応じたレベル制御信号を得、
該レベル制御信号により前記レベル制御手段を制御して前記第１及び第２の音声信号のレベル差を無くすようにしたことを特徴とする音声信号記録装置。
【請求項２】
請求項１記載の音声信号記録装置において、
前記レベル検出手段でレベルを検出する低周波数成分を、その音声信号の波長の１／２が前記第１及び第２のマイクロホンの間隔以上とするようにしたことを特徴とする音声信号記録装置。
【発明の詳細な説明】
【０００１】
【発明の属する技術分野】
本発明は、例えばデジタルビデオカメラ等のカメラ一体型ビデオテープレコーダ等の小型機器に適用して好適な音声信号記録装置に関する。
【０００２】
【従来の技術】
一般にデジタルビデオカメラ等のカメラ一体型ビデオテープレコーダの音声信号記録装置においては、内蔵のマイクロホンは一般的にキャビネット形状や風ノイズの影響を受けにくい無指向性マイクロホンが使用されている。
【０００３】
この無指向性マイクロホンからの音声信号からステレオ感を得るためには２個以上の無指向性マイクロホンからの音声信号をステレオ演算処理回路に供給して、電気的に処理し、有指向特性にする必要がある。
【０００４】
このデジタルビデオカメラ等のカメラ一体型ビデオテープレコーダにおいては、複数例えば２個の無指向性マイクロホンを比較的近接して搭載し、例えばこのカメラ一体型ビデオテープレコーダの上面や前面に並べて配置している。
【０００５】
ここで一般的に、近接して配置される複数のマイクロホンのマイクロホン間隔ｄと夫々のマイクロホンから出力される音声信号のレベル差及び位相差について図７を参照して説明する。
【０００６】
図７Ａは２個のマイクロホン１及び２が間隔ｄ離して並べて配置され、この２個のマイクロホン１及び２に音源Ａの方向から振幅ａの正弦波が入射された場合であり、このときマイクロホン１の出力には信号１が得られるものとするとマイクロホン２からは音源入射方向に対してマイクロホン１からおろした垂線と交わる点ｃからマイクロホン２までの位相φ１に相当する分、遅延した信号がこの出力に信号２として得られる。
【０００７】
ここで、このマイクロホン１及び２の間隔ｄが音源Ａまでの距離に対して十分小さければ信号１及び信号２の夫々の振幅ａは等しく、位相φ１だけ位相差がある。この信号１及び信号２は次式で表される。
信号１＝ａｃｏｓωｔ
信号２＝ａｃｏｓ（ωｔ−φ１）
【０００８】
図７Ｂは図７Ａと同様のマイクロホン１及び２の配置において、２つのマイクロホン１及び２の延長線上である音源Ｂの方向から振幅ｂの正弦波が入射した場合であり、このときのマイクロホン１及び２の出力の信号１及び２は入射する正弦波の周波数により異なってくる。
【０００９】
通常、音は空気中を疎密波として伝播することは知られているが、音源Ｂの正弦波は、＋の最大値（もしくは−の最小値）を密とし、−の最小値（もしくは＋の最大値）を疎とすると、間隔ｄが正弦波の波長λの半周期分より大きい（λ／２＜ｄ）場合、言い換えれば間隔ｄを半周期とする周波数よりも入射する正弦波の周波数が高い場合はマイクロホン２に到達する正弦波がマイクロホン１の影になり、レベルが落ちてマイクロホン２に到達するために、信号２は信号１よりも振幅が減少する。
【００１０】
しかし、間隔ｄが正弦波の半周期分より小さい（λ／２＞ｄ）場合、言い換えれば、間隔ｄを半周期とする周波数よりも入射する正弦波の周波数が低ければマイクロホン２に到達する正弦波はマイクロホン１にほとんど影響されないため、信号１と信号２との振幅はほとんど変わらない。
【００１１】
このときは人間の両耳をマイクロホン１とマイクロホン２とにあてはめた場合の、感覚を考えれば容易に想像がつく、つまり比較的低い周波数（数百Ｈｚ）の場合は方向感がなくなり、高い周波数（数ｋＨｚ）の場合は比較的容易に方向感がつかめるのは、高い周波数では頭による音の影ができるからである。
【００１２】
一例として、図７において、間隔ｄを３０ｍｍとすればこの間隔ｄを半周期とする周波数Ｆは以下の通りになる。
周波数Ｆ＝空気中の音速／２ｄ＝３４０／２×０．０３≒５．７ｋＨｚ
【００１３】
従って、図７Ｂで入射する正弦波をこの周波数Ｆ以下に制限すれば信号１と信号２との振幅はほとんど変わらず、間隔ｄに相当する遅延分の位相差φ２だけずれる。つまり以下の式で表される。
信号１＝ｂｃｏｓωｔ
信号２＝ｂｃｏｓ（ωｔ−φ２）
【００１４】
また、図７Ｃは無指向性マイクロホン１，２，３を３個使用した例を示し、間隔ｄのマイクロホン１及びマイクロホン２を底辺とする正三角形の頂点の位置にマイクロホン３を配置した例である。ここで音源Ａの方向から振幅ａの正弦波が入射した場合を考えると、先に述べたのと同様にマイクロホン間隔から決定される周波数Ｆ以下に入力周波数を限定すれば、夫々のマイクロホン間隔ｄの影響は遅延による位相差のみになり、振幅ａはほとんど変化しない。また夫々のマイクロホン１，２，３の相対的な間隔が異なるときはこの最大間隔から周波数Ｆを求めるようにする。
【００１５】
この場合マイクロホン１，２及び３の夫々の出力である信号１、信号２及び信号３は次式で表される。
信号１＝ａｃｏｓωｔ
信号２＝ａｃｏｓ（ωｔ−φ１）
信号３＝ａｃｏｓ（ωｔ−φ２）
【００１６】
また以上説明した例以外の無指向性マイクロホンの配置や、このマイクロホンを４個以上使用した場合においても、上述の関係は当然成り立つと考えられる。
以下上述を前提として説明する。
【００１７】
次に図８を参照して従来のデジタルビデオカメラの音声信号記録装置の例に付き説明するに、図８において、１０Ｌ及び１０Ｒは間隔ｄ例えば３０ｍｍ離してこのデジタルビデオカメラに内蔵した左側及び右側の無指向性マイクロホンを示し、このマイクロホン１０Ｌ及び１０Ｒに得られる無指向性の左及び右音声信号を夫々増幅回路１１Ｌ及び１１Ｒを介して、自動利得制御回路１２に供給する。
【００１８】
この自動利得制御回路１２ではマイクロホン１０Ｌ及び１０Ｒからの左及び右音声信号のダイナミックレンジを後段の信号処理に最適化するため信号レベルを制御し、このレベル制御された左及び右音声信号をアナログ信号をデジタル信号に変換するＡ−Ｄ変換回路１３Ｌ及び１３Ｒを介してステレオ化演算処理回路１４に供給する如くしている。
【００１９】
このステレオ化演算処理回路１４においては、このデジタル信号化された左及び右音声信号をマトリックス回路やイコライジング回路を通して、無指向性の左及び右音声信号から有指向性のステレオ信号Ｌ及びＲを演算処理して得る。
【００２０】
このステレオ化演算処理回路１４の出力側に得られるステレオ信号Ｌ及びＲを記録系信号処理回路を介して記録媒体に記録する如くする。
この場合、この記録媒体を再生したときにはステレオ感を得ることができる。
【００２１】
【発明が解決しようとする課題】
然しながら、このステレオ化演算処理回路１４に入力する左及び右音声信号のレベルにばらつきがあるときには、この出力側に得られるステレオ信号Ｌ及びＲにレベル差あるいは位相差が生じて、ステレオ音場定位が乱れる等の問題があった。
【００２２】
一般的にこの左及び右音声信号のレベルのばらつきはマイクロホン１０Ｌ，１０Ｒの製造上の特性のばらつき、オペアンプ等で構成される増幅回路１１Ｌ，１１Ｒの特性のばらつき、自動利得制御回路１２及びＡ−Ｄ変換回路１３Ｌ，１３Ｒの特性のばらつきにより発生し、之等全てが積算される。
【００２３】
例えば図８例の発生するばらつき量を見てみると、無指向性マイクロホン１０Ｌ，１０Ｒの特性ばらつきは±２〜±４ｄＢ程度であり、増幅回路１１Ｌ，１１Ｒの特性ばらつきは±０．５ｄＢ、自動利得制御回路１２の特性ばらつきは±１ｄＢ、Ａ−Ｄ変換回路１３Ｌ，１３Ｒの特性ばらつきは±０．５ｄＢ程度である。
【００２４】
従って、トータルでは、このステレオ化演算処理回路１４の前段までで±４〜±６ｄＢのばらつきが最大で積算される可能性があり、一般的に人の聴感で気がつかないレベル差である±１ｄＢを超えてしまう虞がある。
【００２５】
このステレオ化演算処理回路１４の左及び右音声信号のレベルのばらつきを抑えるためには、マイクロホン１０Ｌ，１０Ｒの選別（ペアリング）や増幅回路１１Ｌ，１１Ｒの特性、コンデンサ、抵抗器等のアナログ部品の選定に細心の注意が必要になり、精度を上げるための部品コストや部品点数のアップが生じ、また自動利得制御回路１２やＡ−Ｄ変換回路１３Ｌ，１３Ｒを構成するＩＣ（半導体集積回路）も高価になるという問題があった。
【００２６】
本発明は斯る点に鑑み、このステレオ演算処理回路に供給する複数の音声信号のレベルのレベル差を無指向性マイクロホン、種々の回路の特性のばらつき等に関係なく無くすようにすることを目的とする。
【００２７】
【課題を解決するための手段】
上記課題を解決し、本発明の目的を達成するため、本発明の音声信号記録装置は、第１及び第２の無指向性マイクロホンからの第１及び第２の音声信号をステレオ化演算処理回路に夫々供給し、このステレオ化演算処理回路の出力側に得られるステレオ信号を記録するようにした音声信号記録装置であり、第１又は第２の音声信号のレベルを制御するレベル制御手段を設けると共に、第１及び第２の音声信号のレベル差が小さい周波数成分を検出できるように、第１、第２のマイクロホン間の音の陰によるレベル差の影響を受けにくい低周波数成分の絶対値化後のレベルを検出し、かつ第１、第２の音声信号間の遅延時間に比べて長く、上記のレベル検出において遅延時間の影響がないような長いホールドタイムを有するピーク検波回路からなるレベル検出手段を設け、このレベル検出手段により得られる上述の低周波数成分の絶対値化後ピーク検波した第１及び第２の音声信号のレベル差成分を、第１及び第２の音声信号のサンプリング周期に同期した所定の周期で検出して得られる符号信号からの制御レベル信号を生成して、レベル差成分に応じたレベル制御信号を得、該レベル制御信号によりレベル制御手段を制御して第１及び第２の音声信号のレベル差を無くすようにしたことを特徴としている。
【００２８】
本発明によれば第１又は第２の音声信号のレベルを制御するレベル制御手段を設け、この第１及び第２の音声信号の低周波数成分のレベル差に応じたレベル制御信号により、このレベル制御手段を制御して、この第１及び第２の音声信号のレベル差を無くすようにしているので、ステレオ化演算処理回路の前段の無指向性マイクロホン、種々の回路等の特性のばらつきに関係なくこの第１及び第２の音声信号のレベル差を無くすことができ、ステレオ音場定位が乱れることのないステレオ信号を得ることができる。
【００２９】
【発明の実施の形態】
以下、図１〜図３を参照して本発明音声信号記録装置の実施の形態の例につき説明しよう。この図１において、図８に対応する部分には同一符号を付して示す。この図１例もデジタルビデオカメラの音声信号記録装置に本発明を適用した例である。
【００３０】
図１例は、２つの無指向性マイクロホン１０Ｌ及び１０Ｒを間隔ｄ例えば３０ｍｍ離してデジタルカメラの左側及び右側に内蔵する如くする。このマイクロホン１０Ｌ及び１０Ｒに得られる無指向性の左及び右音声信号を夫々オペアンプより成る増幅回路１１Ｌ及び１１Ｒを介して自動利得制御回路１２に供給する。
【００３１】
この自動利得制御回路１２ではマイクロホン１０Ｌ及び１０Ｒからの左及び右音声信号のダイナミックレンジを後段の信号処理に最適化するため信号レベルを制御する。
【００３２】
本例においては、この自動利得制御回路１２の出力側に得られる左音声信号をアナログ信号をデジタル信号に変換するＡ−Ｄ変換回路１３Ｌを介してステレオ化演算処理回路１４に供給すると共にこの自動利得制御回路１２の出力側に得られる右音声信号を例えばボルテージコントロールアンプ（ＶＣＡ）より成るレベル制御回路２０及びアナログ信号をデジタル信号に変換するＡ−Ｄ変換回路１３Ｒの直列回路を介してステレオ化演算処理回路１４に供給する。
【００３３】
また、本例においては、自動利得制御回路１２の出力側に得られる左音声信号及びレベル制御回路２０の出力側に得られる右音声信号を夫々レベル制御信号形成回路２１に供給する。
【００３４】
このレベル制御信号形成回路２１はこの左及び右音声信号の夫々の低周波数成分例えば５．７ｋＨｚ以下の低周波数成分のレベルを検出し、この左及び右音声信号のレベル差に応じたレベル制御信号を得、このレベル制御信号をレベル制御回路２０に供給し、このレベル制御回路２０の出力側に得られる右音声信号のレベルを制御し、左及び右音声信号のレベルに差が無い如くする。
【００３５】
この場合、５．７ｋＨｚ以下の低周波数成分としたのは無指向性マイクロホン１０Ｌ及び１０Ｒの間隔を３０ｍｍとしたのでこの間隔ｄが波長λの１／２より小となる（ｄ＜λ／２）の周波数成分のレベルを検出するようにし、マイクロホン１０Ｌ及び１０Ｒの出力側に得られる左及び右音声信号のレベル差が無い周波数成分を検出するためである。
【００３６】
このレベル制御信号形成回路２１の一例を図２に示す。この図２において、３０ａは自動利得制御回路１２の出力側に得られる左音声信号が供給される左音声信号入力端子を示し、また３０ｂはレベル制御回路２０の出力側に得られる右音声信号が供給される右音声信号入力端子を示す。
【００３７】
この左及び右音声信号入力端子３０ａ及び３０ｂに得られる左及び右音声信号を夫々ローパスフィルタ３１ａ及び３１ｂに供給する。このローパスフィルタ３１ａ及び３１ｂは、無指向性マイクロホン１０Ｌ及び１０Ｒの間隔ｄが半周期λ／２に相当する周波数Ｆ以下の音声信号を通過するものとする。
【００３８】
この場合、無指向性マイクロホン１０Ｌ及び１０Ｒの出力側には互いのマイクロホンの影に影響されないレベルの音声信号が得られる。
【００３９】
このローパスフィルタ３１ａ及び３１ｂの出力側に得られる例えば図３Ａ及びＣに示す如き左及び右音声信号を夫々絶対値化回路３２ａ及び３２ｂを介し図３Ｂ及びＤに示す如く符号を統一して、レベル検出回路を構成するピーク検波回路３３ａ及び３３ｂに供給する。このピーク検波回路３３ａ及び３３ｂにおいては図３Ｂ及びＤに破線で示す如きピーク値を得る如くし、このピーク検波回路３３ａ及び３３ｂの夫々の出力側に得られるこのピーク値を減算回路３４に供給する如くする。
【００４０】
この図３Ａ，Ｃは左音声信号に対して右音声信号がマイクロホン１０Ｌ及び１０Ｒの間隔ｄによる遅延分Ｔｄがある場合で、これを絶対値化処理すると図３Ｂ，Ｃの実線で示す如くなり、更にピーク検波処理を行うと破線で示す如くなる。今、ｔ＝Ｔ2 で、このレベルを比較すると絶対値化後のレベル差が発生しているが、ピーク検波後の破線ではほとんどレベル差が発生していない。本例では遅延分Ｔｄに対して長い周期の信号、つまり低周波数を扱うことと、さらにピーク検波時のホールドタイムを長くとることでレベル検出において遅延分Ｔｄはほとんど影響を与えない。
【００４１】
この減算回路３４においては、本例ではオーディオサンプリング周波数例えば３２ｋＨｚ、４４．１ｋＨｚもしくは４８ｋＨｚ毎にこのレベル差成分の検出を行う如くする。この減算回路３４の出力側に得られる、正符号、零又は負符号信号を符号検出回路３５に供給する。
【００４２】
この符号検出回路３５においては、オーディオサンプリング周波数例えば３２ｋＨｚ、４４．１ｋＨｚもしくは４８ｋＨｚに同期して、この正符号、零又は負符号を検出し、この検出信号を制御信号生成回路３６に供給する。
【００４３】
この制御信号生成回路３６においては、この符号検出回路３５の検出した符号が正符号のときに制御信号のレベルを増大し、零のときはホールドし、負符号のときはこの制御信号のレベルを減少する如くする。
【００４４】
従って、この制御信号生成回路３６からは、符号検出回路３５により、検出された符号が正符号、つまり左音声信号＞右音声信号のとは増大方向のレベル制御信号が、また零のときつまり左音声信号＝右音声信号のときは前の値をホールドしたレベル制御信号が、また負符号、つまり左音声信号＜右音声信号のときは減少傾向のレベル制御信号が出力される。
【００４５】
この制御信号生成回路３６の出力信号をローパスフィルタ等より構成された平滑回路３７を介してレベル制御信号をレベル制御回路２０に供給するレベル制御信号出力端子３８に供給する。
【００４６】
この場合、このレベル制御信号は左音声信号と右音声信号とのレベルの比較により増減を繰り返すが、その変化周期はオーディオサンプリング毎であり、段差を発生するが、これは平滑回路３７により平滑化される。
【００４７】
このレベル制御出力端子３８に得られたレベル制御信号をレベル制御回路２０に供給し、このレベル制御回路２０により右音声信号のレベルを制御することでフィードバックループ回路を構成し、例えば、このレベル制御信号のレベルが増加したときは、レベル制御回路２０の出力レベルを大きくし、逆にこのレベル制御信号のレベルが減少したときはこのレベル制御回路２０の出力レベルを小さくし、常にこの左音声信号と右音声信号とのレベルに差が無い如くする。
【００４８】
このレベル差の無い左及び右音声信号をＡ−Ｄ変換回路１３Ｌ及び１３Ｒを介してステレオ化演算処理回路１４に供給する。このステレオ化演算処理回路１４においては、このデジタル化された左及び右音声信号をマトリックス回路やイコライジング回路を通して、無指向性の左及び右音声信号から有指向性のステレオ信号Ｌ及びＲを演算処理して得るようにする。
【００４９】
このステレオ化演算処理回路１４の出力側に得られるステレオ信号Ｌ及びＲを記録系処理回路を介して磁気テープ等の記録媒体に記録する如くする。
【００５０】
本例によれば、右音声信号のレベルを制御するレベル制御回路２０を設け、この左及び右音声信号のマイクロホン１０Ｌ及び１０Ｒの間隔ｄが半周期λ／２に相当する周波数Ｆ以下の低周波数成分のレベル差に応じたレベル制御信号により、このレベル制御回路２０を制御して、この左及び右音声信号のレベル差を無くすようにしているので、ステレオ化演算処理回路１４の前段の無指向性マイクロホン１０Ｌ，１０Ｒ、増幅回路１１Ｌ，１１Ｒ等に特性のばらつきがあっても、この左及び右音声信号のレベル差を無くすことができ、このステレオ化演算処理回路１４の出力側に得られるステレオ信号Ｌ及びＲを記録した、記録媒体を再生したときに、ステレオ音場の定位が乱れることがない。
【００５１】
また本例によれば、無指向性マイクロホン１０Ｌ，１０Ｒ、増幅回路１１Ｌ，１１Ｒ等に特性のバラツキがあっても、この左及び右音声信号のレベル差を無くすことができるので、使用する無指向性マイクロホン１０Ｌ，１０Ｒ、増幅回路１１Ｌ，１１Ｒ等の部品のばらつきの許容を大きく取ることができ、安価な部品が使用でき、コストダウンを図ることができる。
【００５２】
尚、図１例では右音声信号のレベルを制御するレベル制御回路２０を設けたが、この代りに左音声信号のレベルを制御するレベル制御回路を設けるようにしても良いことは容易に理解できよう。
【００５３】
図４、図５及び図６は夫々本発明の実施の形態の他の例を示す。この図４、図５及び図６において、図１に対応する部分には同一符号を付して、その詳細説明は省略する。
【００５４】
図４例は、図１例において、デジタル変換した後の音声信号によりデジタル処理によりレベル制御するようにしたもので、図４例においては自動利得制御回路１２の出力側に得られる左及び右音声信号をアナログ信号をデジタル信号に変換するＡ−Ｄ変換回路１３Ｌ及び１３Ｒに夫々供給し、夫々デジタルの左及び右音声信号に変換する。
【００５５】
このＡ−Ｄ変換回路１３Ｌの出力側に得られるデジタルの左音声信号をステレオ化演算処理回路１４に供給し、このＡ−Ｄ変換回路１３Ｒの出力側に得られるデジタルの右音声信号をデジタル構成のレベル制御回路２０を介してステレオ化演算処理回路１４に供給する。このレベル制御回路２０は、デジタル処理では例えば乗算器で構成される。
【００５６】
また、このＡ−Ｄ変換回路１３Ｌの出力側に得られるデジタルの左音声信号及びレベル制御回路２０の出力側に得られるデジタルの右音声信号をデジタル構成で図２同様に構成したレベル制御信号形成回路２１に供給し、このレベル制御信号形成回路２１の出力側に得られるレベル制御信号をレベル制御回路２０に供給し、右音声信号のレベルを制御する如くする。その他は図１例と同様に構成する。
【００５７】
この図４例においても、図１例と同様の作用効果が得られることは容易に理解できよう。またステレオ化演算処理回路１４の前段の無指向性マイクロホン１０Ｌ，１０Ｒ、増幅回路１１Ｌ，１１Ｒ、Ａ−Ｄ変換回路１３Ｌ，１３Ｒ等に特性のばらつきがあっても、この左及び右音声信号のレベル差を無くすことができる。
【００５８】
また、図４例では、ステレオ化演算処理回路１４、レベル制御回路２０及びレベル制御信号形成回路２１をデジタル回路で構成できるので、ＬＳＩに内蔵が容易であり、今後の半導体微細化、高密度化において、回路規模の増加はほとんど問題とならず実現が可能である。
【００５９】
図５例は図４例に対し、レベル制御回路２０をフィードフォワードループ回路構成としたもので、Ａ−Ｄ変換回路１３Ｌ及び１３Ｒの夫々の出力側に得られるデジタルの左及び右音声信号をレベル制御信号形成回路２１に供給し、このレベル制御信号形成回路２１の出力側に得られるレベル制御信号をレベル制御回路２０に供給するようにし、その他は図４と同様に構成したものである。
【００６０】
この図５例においては、図４例と同様の作用効果が得られることは容易に理解できよう。
【００６１】
また図６例は図５例において、図７Ｃと同様に３個の無指向性マイクロホン１０Ｌ，１０Ｒ及び１０Ｃを使用した例を示す。
【００６２】
図６例は間隔ｄ離して配された無指向性マイクロホン１０Ｌ及び１０Ｒに対し、正三角形の頂点の位置に無指向性マイクロホン１０Ｃをデジタルカメラに内蔵して設けたものである。
【００６３】
このマイクロホン１０Ｌ，１０Ｒ及び１０Ｃに得られる、無指向性の左、右及び中音声信号を夫々オペアンプより成る増幅回路１１Ｌ，１１Ｒ及び１１Ｃを介して自動利得制御回路１２に供給する。
【００６４】
この自動利得制御回路１２ではマイクロホン１０Ｌ，１０Ｒ及び１０Ｃからの左、右及び中音声信号のダイナミックレンジを後段の信号処理に最適化するため信号レベルを制御する。
【００６５】
この自動利得制御回路１２の出力側に得られる左、右及び中音声信号をアナログ信号をデジタル信号に変換するＡ−Ｄ変換回路１３Ｌ，１３Ｒ及び１３Ｃに夫々供給し、夫々デジタルの左、右及び中音声信号に変換する。
【００６６】
このＡ−Ｄ変換回路１３Ｌの出力側に得られるデジタルの音声信号をステレオ化演算処理回路１４に供給し、このＡ−Ｄ変換回路１３Ｒ及び１３Ｃの出力側に得られるデジタルの右及び中音声信号を夫々デジタル構成のレベル制御回路２０ａ及び２０ｂを介してステレオ化演算処理回路１４に供給する。
【００６７】
またＡ−Ｄ変換回路１３Ｌの出力側に得られるデジタルの左音声信号をデジタル構成で図２同様に構成した２個のレベル制御信号形成回路２１ａ及び２１ｂに夫々供給し、またこのＡ−Ｄ変換回路１３Ｒの出力側に得られるデジタルの右音声信号をレベル制御信号形成回路２１ａに供給し、このレベル制御信号形成回路２１ａの出力側に得られるレベル制御信号をレベル制御回路２０ａに供給し、この右音声信号のレベルを制御する如くする。
【００６８】
また、このＡ−Ｄ変換回路１３Ｃの出力側に得られるデジタルの中音声信号をレベル制御信号形成回路２１ｂに供給し、このレベル制御信号形成回路２１ｂの出力側に得られるレベル制御信号をレベル制御回路２０ｂに供給し、この中音声信号のレベルを制御する如くする。
【００６９】
この場合、右音声信号及び中音声信号は夫々左音声信号とレベルが同じになるように制御され、この左、右及び中音声信号は互にレベル差がなくなるように制御される。この図６例はその他は図１例と同様に構成する。
【００７０】
斯る図６例においても図４例と同様の作用効果が得られることは容易に理解できよう。
【００７１】
この図６例はレベル制御回路２２ａ，２２ｂをフィードフォワードループ回路で構成したが、フィードバックループ回路で構成しても良いことは勿論である。
【００７２】
尚、本発明は上述例に限ることなく本発明の要旨を逸脱することなく、その他種々の構成が採り得ることは勿論である。
【００７３】
【発明の効果】
本発明によれば、第１又は第２の音声信号のレベルを制御するレベル制御手段を設け、この第１及び第２の音声信号の低周波成分のレベル差に応じたレベル制御信号によりこのレベル制御手段を制御して、この第１及び第２の音声信号のレベル差を無くすようにしているので、このステレオ化演算処理回路の前段の無指向性マイクロホン、種々の回路等の特性のばらつきに関係なくこの第１及び第２の音声信号のレベルのレベル差を無くすことができ、ステレオ音場定位が乱れることのないステレオ信号を得ることができる利益がある。
【図面の簡単な説明】
【図１】本発明音声信号記録装置の実施の形態の例を構成図である。
【図２】レベル制御信号形成回路の例を示す構成図である。
【図３】本発明の説明に供する線図である。
【図４】本発明の実施の形態の他の例を示す構成図である。
【図５】本発明の実施の形態の他の例を示す構成図である。
【図６】本発明の実施の形態の他の例を示す構成図である。
【図７】複数のマイクロホンのマイクロホン間隔ｄと夫々のマイクロホンから出力される音声信号のレベル差及び位相差の説明に供する線図である。
【図８】従来の音声信号記録装置の例を示す構成図である。
【符号の説明】
１０Ｌ，１０Ｒ，１０Ｃ‥‥無指向性マイクロホン、１１Ｌ，１１Ｒ，１１Ｃ‥‥増幅回路、１２‥‥自動利得制御回路、１３Ｌ，１３Ｒ，１３Ｃ‥‥Ａ−Ｄ変換回路、１４‥‥ステレオ化演算処理回路、２０，２０ａ，２０ｂ‥‥レベル制御回路、２１，２１ａ，２１ｂ‥‥レベル制御信号形成回路、３１ａ，３１ｂ‥‥ローパスフィルタ、３２ａ，３２ｂ‥‥絶対値化回路、３３ａ，３３ｂ‥‥ピーク検波回路、３４‥‥減算回路、３６‥‥制御信号生成回路、３７‥‥平滑回路
【図１】
0004277400.tif 000002
【図２】
0004277400.tif 000003
【図３】
0004277400.tif 000004
【図４】
0004277400.tif 000005
【図５】
0004277400.tif 000006
【図６】
0004277400.tif 000007
【図７】
0004277400.tif 000008
【図８】
0004277400.tif 000009